(57)【要約】【課題】磁気伝達極面体と磁路部材によって永久磁石の磁極を挟む電機を提供する。【解決手段】隣り合う個別磁極の磁気伝達極面体１１１と磁路部材１０２より挟まれる永久磁石の磁極１０３の極性は、反対又は同極性である。磁気伝達極面体１１１は、磁路部材１０２と共同して永久磁石の磁極１０３を挟み固定することにより、磁極を構成する。磁気伝達極面体１１１の極面は電磁効果をインタラクトする別の電機構造体と向かい合う。個別磁極の磁気伝達極面体１１１と磁路部材によって永久磁石の磁極１０３を挟む革新的な設計によって、永久磁石の磁極１０３が振動により脱落することが避けられ、また、電機作動中に、逆方向励磁により磁力が弱くなることも避けられる。【選択図】図２
2009124937.tif 000002
【特許請求の範囲】
【請求項１】
磁気伝達極面体と磁極によって永久磁石の磁極を取り挟む電機であって、
個別電磁を設置する磁気伝達極面体と、
磁路部材と、
前記磁気伝達極面体と前記磁路部材との間に挟まれる永久磁石の磁極と、を備え、
隣り合う前記磁気伝達極面体（１１１）と前記磁路部材（１０２）より挟まれる前記永久磁石の磁極（１０３）の極性が反対又は同一になっていることを特徴とする磁気伝達極面体と磁極によって永久磁石の磁極を挟む電機。    
【請求項２】
個別電磁を設置した磁気伝達極面体（１１１）は、磁路部材（１０２）と共同して永久磁石の磁極（１０３）を挟み固定することにより、磁極を構成し、磁路部材（１０２）や磁気伝達極面体（１１１）はシリコン鋼片または鋼或いは鉄等のよく使われる良好な磁気伝達材料を使用し、一体構成或いは複数の材質が重なり合って、或いは、磁気伝達性材料の粉末冶金より構成するものであって、磁気伝達極面体（１１１）の極面は電磁効果をインタラクトする別の電機構造体と向かい合い、磁気伝達極面体（１１１）の極面はニーズによって凹や凸弧面状或いは平面状形を呈し、更なるニーズにより溝或いは凹凸或いは特定の幾何形状を持つ極面を選択することを特徴とする請求項１記載の磁気伝達極面体と磁極によって永久磁石の磁極を挟む電機。
【請求項３】
個別磁極は、更に磁極の磁路頸部（１０４）を通して磁気伝達極面体（１１１）と共同して永久磁石の磁極（１０３）を挟み固定し、磁路部材（１０２）や磁極の磁路頸部（１０４）或いは磁気伝達極面体（１１１）は磁気伝達材料を使用し、一体構成或いは複数材質が重なり合って構成し、或いは、磁気伝達性材料の粉末冶金より構成するものであって、磁気伝達極面体（１１１）の極面は電磁効果をインタラクトする別の電機構造体と向かい合い、磁気伝達極面体（１１１）の極面はニーズにより凹凸弧面状或いは平面状形を呈し、更なるニーズにより溝或いは凹凸或いは特定の幾何形状を持つ極面を選択することを特徴とする請求項１記載の磁気伝達極面体と磁極によって永久磁石の磁極を挟む電機。
【請求項４】
個別磁極の磁気伝達極面体（１１１）と磁路部材（１０２）によって永久磁石の磁極（１０３）を挟む方式は、ファスナーで固定或いは挟み固定、ねじや袋ナットで固定、リベットで固定、ピンと穴構造で固定、ぴったりした寸法及び選定した幾何形状に合わせて嵌め込み固定、磁路構造で挟み圧迫、機械外殻で挟み圧迫、専用部材で挟み圧迫、接着材料で接着する方式で永久磁石の磁極（１０３）を挟み、或いは、その他永久磁石の磁極（１０３）等によく使われる固定方式を含むことを特徴とする請求項１記載の磁気伝達極面体と磁極によって永久磁石の磁極を挟む電機。
【請求項５】
電機の内層構造及び電機の外層構造を持つシリンダー電機であってよいが、電機の内層構造（１１）及び電機の外層構造（１２）より構成するものを含み、その特徴は、
１．電機の内層構造（１１）と電磁カップリング効果を行う電機の外層構造（１２）は電機の内層構造（１１）の電磁カップリング効果の面に向き、或いは、
２．電機の外層構造（１２）と電磁カップリング効果を行う電機の内層構造（１１）は電機の外層構造（１２）の電磁カップリング効果の面に向き、
上記１項及び２項の電磁カップリング効果の面にある個別電磁に設置される磁気伝達極面体（１１１）は磁路部材（１０２）との間に永久磁石の磁極（１０３）を挟み、更に個別磁極を構成する磁気伝達極面体（１１１）は磁路部材（１０２）との間に永久磁石の磁極（１０３）を挟むシリンダー電機であることを特徴とする請求項１記載の磁気伝達極面体と磁極によって永久磁石の磁極を挟む電機。
【請求項６】
電機の内リング構造と電機の中リング構造と電機の外リング構造とがセットになって同軸作動を行う同軸三リング電機によって構成し、電機の内リング構造（２１）と電機の中リング構造（２２）と電機の外リング構造（２３）とより構成するものを含み、その特徴は、
１．電機の中リング構造（２２）と電磁カップリング効果を行う電機の外リング構造（２３）は電機の中リング構造（２２）の電磁カップリング効果の面に向き、或いは、
２．電機の外リング構造（２３）と電磁カップリング効果を行う電機の中リング構造（２２）は電機の外リング構造（２３）の電磁カップリング効果の面に向き、
３．電機の内リング構造（２１）と電磁カップリング効果を行う電機の中リング構造（２２）は電機の内リング構造（２１）の電磁カップリング効果の面に向き、或いは、
４．電機の中リング構造（２２）と電磁カップリング効果を行う電機の内リング構造（２１）は電機の中リング構造（２２）の電磁カップリング効果の面に向き、
上記１項、２項、３項及び４項の電磁カップリング効果の面にある個別電磁に設置される磁気伝達極面体（１１１）は磁路部材（１０２）との間に永久磁石の磁極（１０３）を挟み、残りの電機構造形態は電磁効果特性のニーズに従って選定してよいが、更に個別磁極を構成する磁気伝達極面体（１１１）は磁路部材（１０２）との間に永久磁石の磁極（１０３）を挟む同軸三リング電機であることを特徴とする請求項１記載の磁気伝達極面体と磁極によって永久磁石の磁極を挟む電機。
【請求項７】
電機の内リング構造と電機の中リング構造と電機の外リング構造とがセットになって同軸作動を行う同軸三リング電機を構成するが、電機の内リング構造（２１）と電機の中リング構造（２２）と電機の外リング構造（２３）とより構成するものを含み、その特徴は、
１．電機の中リング構造（２２）と電磁カップリング効果を行う電機の内リング構造（２１）は電機の中リング構造（２２）の電磁カップリング効果の面に向き、及び電機の外リング構造（２３）と電磁カップリング効果を行う電機の中リング構造（２２）は電機の外リング構造（２３）の電磁カップリング効果の面に向き、或いは、
２．電機の中リング構造（２２）と電磁カップリング効果を行う電機の外リング構造（２３）は電機の中リング構造（２２）の電磁カップリング効果の面に向き、及び電機の内リング構造（２１）と電磁カップリング効果を行う電機の中リング構造（２２）は電機の内リング構造（２１）の電磁カップリング効果の面に向き、或いは、
３．電機の中リング構造（２２）と電磁カップリング効果を行う電機の外リング構造（２３）は電機の中リング構造（２２）の電磁カップリング効果の面に向き、及び電機の中リング構造（２２）と電磁カップリング効果を行う電機の内リング構造（２１）は電機の中リング構造（２２）の電磁カップリング効果の面に向き、或いは、
４．電機の外リング構造（２３）及び電機の内リング構造（２１）と電磁カップリング効果を行う電機の中リング構造（２２）は電機の外リング構造（２３）及び電機の内リング構造（２１）の電磁カップリング効果の面に向き、
上記１項、２項、３項及び４項の電磁カップリング効果の面にある個別電磁に設置される磁気伝達極面体（１１１）は磁路部材（１０２）との間に永久磁石の磁極（１０３）を挟み、更に個別磁極を構成する磁気伝達極面体（１１１）は磁路部材（１０２）との間に永久磁石の磁極（１０３）を挟む同軸三リング電機であることを特徴とする請求項１記載の磁気伝達極面体と磁極によって永久磁石の磁極を挟む電機。
【請求項８】
電機の内リング構造と電機の中リング構造と電機の外リング構造とがセットになって同軸作動を行う同軸三リング電機によって構成し、電機の内リング構造（２１）と電機の中リング構造（２２）と電機の外リング構造（２３）とより構成するものを含み、電機の中リング構造（２２）と電磁カップリング効果を行う電機の内リング構造（２１）及び電機の外リング構造（２３）に永久磁石の磁極（１０３）を設置することにより、磁極を構成し、永久磁石の磁極（１０３）の両端にある極面に磁気伝達極面体（１１１）を取り付け、電機の内リング構造（２１）及び電機の外リング構造（２３）の両者と両側でカップリングを行って、電磁効果をインタラクトし、更に永久磁石の磁極の両端にある極面に磁気伝達極面体（１１１）を挟む同軸三リング電機であることを特徴とする請求項１記載の磁気伝達極面体と磁極によって永久磁石の磁極を挟む電機。
【請求項９】
電機の二層構造が重なって同軸作動を行う同軸二層式ディスク電機によって構成し、電機の内層ディスク構造（３１）及び電機の外層ディスク構造（３２）より構成するものを含み、電機の内層ディスク構造（３１）は電機の外層ディスク構造（３２）の電磁カップリング効果の面に向き、個別電磁を設置した磁気伝達極面体（１１１）は磁路部材（１０２）との間に永久磁石の磁極（１０３）を挟み、電機の外層ディスク構造（３２）と電磁効果をインタラクトするものに供し、或いは、電機の外層ディスク構造（３２）は電機の内層ディスク構造（３１）の電磁カップリング効果の面に向き、個別電磁を設置した磁気伝達極面体（１１１）は磁路部材（１０２）との間に永久磁石の磁極（１０３）を挟み、電機の内層ディスク構造（３１）と電磁効果をインタラクトし、更に個別磁極を構成する磁気伝達極面体（１１１）は磁路部材（１０２）との間に永久磁石の磁極（１０３）を挟む二層式ディスク電機であることを特徴とする請求項１記載の磁気伝達極面体と磁極によって永久磁石の磁極を挟む電機。
【請求項１０】
電機の内層構造と電機の中層構造と電機の外層構造とが重なって同軸作動を行う同軸三層式ディスク電機によって構成し、電機の内層ディスク構造（４１）、電機の外層ディスク構造（４２）及び電機の外層ディスク構造（４３）より構成するものを含み、その特徴は、
１．電機の内層ディスク構造（４１）は電機の中層ディスク構造（４２）の電磁カップリング効果の面に向き、或いは、
２．電機の中層ディスク構造（４２）は電機の内層ディスク構造（４１）の電磁カップリング効果の面に向き、或いは
３．電機の外層ディスク構造（４３）は電機の中層ディスク構造（４２）の電磁カップリング効果の面に向き、或いは、
４．電機の中層ディスク構造（４２）は電機の外層ディスク構造（４３）の電磁カップリング効果の面に向き、
上記１項、２項、３項及び４項の電磁カップリング効果の面にある個別電磁に設置される磁気伝達極面体（１１１）は磁路部材（１０２）との間に永久磁石の磁極（１０３）を挟み、更に個別磁極を構成する磁気伝達極面体（１１１）は磁路部材（１０２）との間に永久磁石の磁極（１０３）を挟む同軸三層式ディスク電機であることを特徴とする請求項１記載の磁気伝達極面体と磁極によって永久磁石の磁極を挟む電機。
【請求項１１】
電機の内層構造と電機の中層構造と電機の外層構造とが重なって同軸作動を行う同軸三層式ディスク電機によって構成し、電機の内層ディスク構造（４１）と電機の中層ディスク構造（４２）と電機の外層ディスク構造（４３）とより構成するものを含み、その特徴は、
１．電機の内層ディスク構造（４１）は電機の中層ディスク構造（４２）の電磁カップリング効果の面に向き、及び電機の中層ディスク構造（４２）は電機の外層ディスク構造（４３）の電磁カップリング効果の面に向き、或いは、
２．電機の外層ディスク構造（４３）は電機の中層ディスク構造（４２）の電磁カップリング効果の面に向き、及び電機の中層ディスク構造（４２）は電機の内層中層ディスク構造（４１）の電磁カップリング効果の面に向き、或いは、
３．電機の内層ディスク構造（４１）は電機の中層ディスク構造（４２）の電磁カップリング効果の面に向き、及び電機の外層ディスク構造（４３）は電機の中層ディスク構造（４２）の電磁カップリング効果の面に向き、或いは、
４．電機の中層ディスク構造（４２）の両側は電機の内層ディスク構造（４１）に向き、及び電機の外層ディスク構造（４３）は電磁カップリング効果の両側にある電磁カップリング効果の面に向き、
上記１項、２項、３項及び４項の電磁カップリング効果の面に設置した個別電磁の磁気伝達極面体（１１１）は磁路部材（１０２）との間に永久磁石の磁極（１０３）を挟み、更に個別磁極を構成する磁気伝達極面体（１１１）は磁路部材（１０２）との間に永久磁石の磁極（１０３）を挟む同軸三層式ディスク電機であることを特徴とする請求項１記載の磁気伝達極面体と磁極によって永久磁石の磁極を挟む電機。
【請求項１２】
電機の内層構造と電機の中層構造と電機の外層構造とが重なって同軸作動を行う同軸三層式ディスク電機によって構成し、電機の内層ディスク構造（４１）と電機の中層ディスク構造（４２）と電機の外層ディスク構造（４３）とより構成するものを含み、電機の両側にある内層ディスク構造（４１）及び電機の外層ディスク構造（４３）と電磁カップリング効果を行う電機の中層ディスク構造（４２）に永久磁石の磁極（１０３）を設置することにより、磁極を構成し、永久磁石の磁極（１０３）の両端にある極面に磁気伝達極面体（１１１）を形成させ、永久磁石（１０３）の両端にある磁極は磁気伝達極面体（１１１）を通して電機の内層ディスク構造（４１）及び電機の外層ディスク構造（４３）の両側でカップリングをインタラクトし、更に永久磁石の磁極の両端にある極面に磁気伝達極面体（１１１）を形成する同軸三層式ディスク電機であることを特徴とする請求項１記載の磁気伝達極面体と磁極によって永久磁石の磁極を挟む電機。
【請求項１３】
リニア電機の二層構造によりリニアカップリングを行う二層式リニア電機によって構成し、リニア電機の内層構造（５１）及びリニア電機の外層構造（５２）より構成するものを含み、その特徴は、
リニア電機の内層構造（５１）はリニア電機の外層構造（５２）の電磁カップリング効果の面に向き、個別電磁を設置した磁気伝達極面体（１１１）は磁路部材（１０２）との間に永久磁石の磁極（１０３）を挟み、リニア電機の外層構造（５２）が電磁効果をインタラクトし、或いは、リニア電機の外層構造（５２）がリニア電機の内層構造（５１）の電磁カップリング効果の面に向くところに、個別磁極の磁気伝達極面体（１１１）と磁路部材（１０２）との間に永久磁石の磁極（１０３）を挟み、リニア電機の内層構造（５１）の電磁効果をインタラクトし、更に個別磁極を構成する磁気伝達極面体（１１１）は磁路部材（１０２）との間に永久磁石の磁極（１０３）を挟む二層式リニア電機であることを特徴とする請求項１記載の磁気伝達極面体と磁極によって永久磁石の磁極を挟む電機。
【請求項１４】
リニア電機の内層構造と電機の中層構造と電機の外層構造とによりリニアカップリングを行う三層式リニア電機によって構成し、リニア電機の内層構造（６１）とリニア電機の中層構造（６２）とリニア電機の外層構造（６３）とより構成するものを含み、その特徴は、
１．リニア電機の内層構造（６１）はリニア電機の中層構造（６２）の電磁カップリング効果の面に向き、或いは、
２．リニア電機の中層構造（６２）はリニア電機の内層構造（６１）の電磁カップリング効果の面に向き、或いは、
３．リニア電機の外層構造（６３）はリニア電機の中層構造（６２）の電磁カップリング効果の面に向き、或いは、
４．リニア電機の中層構造（６２）はリニア電機の外層構造（６３）の電磁カップリング効果の面に向き、
上記１項、２項、３項及び４項の電磁カップリング効果の面にある個別電磁に設置される磁気伝達極面体（１１１）は磁路部材（１０２）との間に永久磁石の磁極（１０３）を挟み、残りの各電機構造体の間にある電機構造形態は電磁効果特性のニーズに従って選定してよいが、更に個別磁極を構成する磁気伝達極面体（１１１）は磁路部材（１０２）との間に永久磁石の磁極（１０３）を挟む三層式リニア電機であることを特徴とする請求項１記載の磁気伝達極面体と磁極によって永久磁石の磁極を挟む電機。
【請求項１５】
リニア電機の内層構造と電機の中層構造と電機の外層構造とよりリニアカップリングを行う三層式リニア電機によって構成し、リニア電機の内層構造（６１）とリニア電機の中層構造（６２）とリニア電機の外層構造（６３）とより構成するものを含み、その特徴は、
１．リニア電機の中層構造（６２）はリニア電機の外層構造（６３）の電磁カップリング効果の面に向き、及びリニア電機の内層構造（６１）はリニア電機の中層構造（６２）の電磁カップリング効果の面に向き、或いは、
２．リニア電機の外層構造（６３）はリニア電機の中層構造（６２）の電磁カップリング効果の面に向き、及びリニア電機の中層構造（６２）はリニア電機の内層構造（６１）の電磁カップリング効果の面に向き、或いは、
３．リニア電機の外層構造（６３）はリニア電機の中層構造（６２）の電磁カップリング効果の面に向き、及びリニア電機の内層構造（６１）はリニア電機の中層構造（６２）の電磁カップリング効果の面に向き、或いは、
４．リニア電機の中層構造（６２）はリニア電機の外層構造（６３）及びリニア電機の内層構造（６１）の両側で電磁カップリング効果を行う電磁カップリング効果の面に向き、
上記１項、２項、３項及び４項の電磁カップリング効果の面にある個別電磁に設置される磁気伝達極面体（１１１）は磁路部材（１０２）との間に永久磁石の磁極（１０３）を挟み、更に個別磁極の磁気伝達極面体（１１１）と磁路部材（１０２）との間に永久磁石の磁極（１０３）を挟む三層式リニア電機であることを特徴とする請求項１記載の磁気伝達極面体と磁極によって永久磁石の磁極を挟む電機。
【請求項１６】
リニア電機の内層構造と電機の中層構造と電機の外層構造とより構成するリニアカップリングを行う三層式リニア電機であって、リニア電機の内層構造（６１）とリニア電機の中層構造（６２）とリニア電機の外層構造（６３）とより構成するものを含み、リニア電機の外層構造（６３）及びリニア電機の内層構造（６１）に電磁カップリング効果を行うリニア電機の中層構造（６２）に永久磁石の磁極（１０３）を設置することにより、磁極を構成し、永久磁石の磁極（１０３）の両端にある極面に磁気伝達極面体（１１１）を取り付け、永久磁石（１０３）の両端にある磁極は磁気伝達極面体（１１１）を通してリニア電機の内層構造（６１）及びリニア電機の外層構造（６３）の両側でカップリングを行い、電磁効果をインタラクトし、更に永久磁石の磁極（１０３）の両端にある極面に磁気伝達極面体（１１１）を挟む三層式リニア電機であることを特徴とする請求項１記載の磁気伝達極面体と磁極によって永久磁石の磁極を挟む電機。
【請求項１７】
磁気伝達極面体及び挟まれる永久磁石の磁極は、三層式同軸リング状電機構造体、同軸三層式ディスク電機構造体、三層式リニア電機構造体、その他三ピース電機構造体により電磁効果をインタラクトする電機構造の中間電機構造体に取り付けたものを含み、
永久磁石（１０３）の中間電機構造体に取り付けたものは電機の静止部或いは電機の可動部であってよいことを特徴とする請求項１記載の磁気伝達極面体と磁極によって永久磁石の磁極を挟む電機。
【請求項１８】
二個の電磁効果をインタラクトする電機パーツのシリンダー電機、二層式ディスク電機、二層式リニア電機へ応用し、発電機、電動機、発電機兼電動機、電磁カップリング効果を行う渦巻き伝動、電磁効果を行う渦巻き制動等の機能を形成する二個のインタラクトする電機パーツに供し、その作動形態は下記を含み、
１．一個の電機パーツを電機の静止部とし、もう一個の電機パーツを電機の可動部とし、或いは、
２．両方の電機パーツを全て電機の可動部とすることを特徴とする請求項１記載の磁気伝達極面体と磁極によって永久磁石の磁極を挟む電機。
【請求項１９】
三個の電磁効果をインタラクトする電機パーツの同軸三リング電機、同軸三層式ディスク電機、三層式リニア電機、その他三ピースの電機構造体より電磁効果をインタラクトする電機構造の中で発電機、電動機、発電機兼電動機、電磁カップリング効果を行う渦巻き伝動、電磁効果を行う渦巻き制動等の機能を形成する三個のインタラクトする電機構造体への応用に供し、その構成機能は下記を含み、
１．一個の電磁パーツを電機の静止部とし、残りの二個の電磁パーツを電機の可動部とし、或いは、
２．二個の電磁パーツを電機の静止部とし、残りの一個の電磁パーツを電機の可動部とし、或いは、
３．三個の電磁パーツを全て電機の可動部とすることを特徴とする請求項１記載の磁気伝達極面体と磁極によって永久磁石の磁極を挟む電機。
【請求項２０】
個別磁極の磁気伝達極面体と磁路部材に永久磁石の磁極パーツを挟み、及び電磁カップリング効果の面にインタラクトする他の電機パーツは電機構造及び巻線の選択及び配置方式が電機全体の属性に従って入力した電気エネルギーの性質、制御機能、制御様式及び出力性能のニーズにより選定することを特徴とする請求項１記載の磁気伝達極面体と磁極によって永久磁石の磁極を挟む電機。
【請求項２１】
電磁効果をインタラクトする特性の選択及び取り付けた磁極極数の選択に従って構成する電機全体は、直流や交流電気エネルギーで作動するロータリー電機やリニア電機を始め、ローター式ブラシ電機、ブラシレス電機、リング電機、シンクロ電機、アシンクロナス電機、正回転電機、逆回転電機、電機の中間構造の回転式電機、ダブルアクション電機、トリプルアクション電機、多層式電機、多リング電機、リニア電機、ブラシレス直流電機、インバーター電機へ応用し、発電機、電動機、発電機兼電動機機能電機、電磁効果を行う渦巻きカップリング伝動装置、電磁効果を行う渦巻き制動装置等の電機装置の機能として作動するものを含むことを特徴とする請求項１記載の磁気伝達極面体と磁極によって永久磁石の磁極を挟む電機。
【発明の詳細な説明】
【技術分野】
【０００１】
本発明は、磁気伝達極面体と磁極によって永久磁石の磁極を挟む電機を示し、個別磁極の磁気伝達極面体と磁極によって永久磁石の磁極を挟む電機であって、今までの各種電機によく使われる個別磁極の磁気伝達極面体は磁路部材との間に永久磁石の磁極を挟むものである。
【背景技術】
【０００２】
伝統的な直流や交流ロータリー電機或いはリニア電機は、ローター式ブラシ電機、ブラシレス電機、リングブラシ電機、シンクロ電機、アシンクロナス電機、正回転電機、中間電磁構造回転式電機、逆回転電機、ダブルアクション電機、トリプルアクション電機、多層式電機、リング電機、リニア電機、ブラシレス直流電機、インバーター電機へ応用し、発電機、電動機、発電機兼電動機機能電機、電磁効果を行う渦巻きカップリング伝動装置、電磁効果を行う渦巻き制動装置等の電機装置の機能として電磁効果を行うものを含む。
【０００３】
よく使われる磁極構造の構成方式は、下記を含む。
通電巻線励磁型の磁極極面に励磁や減磁の永久磁石の磁極を取り付けている。
或いは、直流や交流電気エネルギーの通電巻線励磁型の磁極構造である。
或いは、永久磁石の磁極構造である。
図１の伝統の永久磁石の磁極の構造の模式図で示すように、その利点は励磁電流が不要で、欠点は電機作動中に、逆方向励磁により磁力が弱くなり易いことである。
【発明の概要】
【発明が解決しようとする課題】
【０００４】
本発明は、磁気伝達極面体と磁極によって永久磁石の磁極を挟む電機を示し、今までの各種電機によく使われる個別磁極の磁気伝達極面体は磁路部材との間に永久磁石の磁極を挟むものである。
その取り付け方式は、隣り合う個別磁極の磁気伝達極面体と磁路部材により挟まれる永久磁石の磁極の極性が反対になっているものである。或いは、隣り合う個別磁極の磁気伝達極面体と磁路部材により挟まれる永久磁石の磁極は同極性を含む。
本発明の磁気伝達極面体と磁極によって永久磁石の磁極を挟む電機は、個別磁極の磁気伝達極面体と磁極によって永久磁石の磁極を挟む革新的な設計によって、作動中に、逆方向励磁により磁力が弱くなることが避けられる。
【課題を解決するための手段】
【０００５】
磁気伝達極面体と磁極によって永久磁石の磁極を挟む電機は、個別磁極の磁気伝達極面体と磁極によって永久磁石の磁極を挟む革新的な設計によって、永久磁石の磁極が振動により脱落することが避けられ、また、電機作動中に、逆方向励磁により磁力が弱くなることも避けられる。
【図面の簡単な説明】
【０００６】
【図１】従来の電機の永久磁石の磁極の構造を示す模式図である。
【図２】本発明の一実施形態による磁気伝達極面体と磁極によって永久磁石の磁極を挟む電機の個別磁極の磁気伝達極面体へ応用し、磁路部材との間に永久磁石の磁極を挟む構造を示す模式図である。
【図３】本発明の一実施形態による磁気伝達極面体と磁極によって永久磁石の磁極を挟む電機の個別磁極の磁気伝達極面体へ応用し、磁極の磁路頸部との間に永久磁石の磁極を挟む構造を示す模式図である。
【図４】本発明の一実施形態による磁気伝達極面体と磁極によって永久磁石の磁極を挟む電機のシリンダー電機の機械外殻、ベアリング、ファスナー、クーリングブレード、選択設置した導電装置の主体構造以外の外形への応用構造を示す分解斜視図である。
【図５】本発明の一実施形態による磁気伝達極面体と磁極によって永久磁石の磁極を挟む電機の同軸三リング電機の機械外殻、ベアリング、ファスナー、クーリングブレード、選択設置した導電装置の主体構造以外の外形への応用構造を示す分解斜視図である。
【図６】本発明の一実施形態による磁気伝達極面体と磁極によって永久磁石の磁極を挟む電機の同軸二層式ディスク電機の機械外殻、ベアリング、ファスナー、クーリングブレード、選択設置した導電装置の主体構造以外の外形への応用構造を示す分解斜視図である。
【図７】本発明の一実施形態による磁気伝達極面体と磁極によって永久磁石の磁極を挟む電機の同軸三層式ディスク電機の機械外殻、ベアリング、ファスナー、クーリングブレード、選択設置した導電装置の主体構造以外の外形への応用構造を示す分解斜視図である。
【図８】本発明の一実施形態による磁気伝達極面体と磁極によって永久磁石の磁極を挟む電機の二層式リニア電機の機械外殻、ベアリング、ファスナー、クーリングブレード、選択設置した導電装置の主体構造以外の外形への応用構造を示す分解斜視図である。
【図９】本発明の一実施形態による磁気伝達極面体と磁極によって永久磁石の磁極を挟む電機の三層式リニア電機の機械外殻、ベアリング、ファスナー、クーリングブレード、選択設置した導電装置の主体構造以外の外形への応用構造を示す分解斜視図である。
【図１０】本発明の一実施形態による磁気伝達極面体と磁極によって永久磁石の磁極を挟む電機のシリンダー電機構造へ応用した構造を示す模式図である。
【図１１】本発明の一実施形態による磁気伝達極面体と磁極によって永久磁石の磁極を挟む電機のシリンダー電機構造へ応用した構造を示す模式図である。
【図１２】本発明の一実施形態による磁気伝達極面体と磁極によって永久磁石の磁極を挟む電機の同軸三リング電機構造へ応用した構造を示す模式図である。
【図１３】本発明の一実施形態による磁気伝達極面体と磁極によって永久磁石の磁極を挟む電機の同軸三リング電機構造へ応用した構造を示す模式図である。
【図１４】本発明の一実施形態による磁気伝達極面体と磁極によって永久磁石の磁極を挟む電機の同軸三リング電機構造へ応用した構造を示す模式図である。
【図１５】本発明の一実施形態による磁気伝達極面体と磁極によって永久磁石の磁極を挟む電機の同軸三リング電機構造へ応用した構造を示す模式図である。
【図１６】本発明の一実施形態による磁気伝達極面体と磁極によって永久磁石の磁極を挟む電機の同軸三リング電機構造へ応用した構造を示す模式図である。
【図１７】本発明の一実施形態による磁気伝達極面体と磁極によって永久磁石の磁極を挟む電機の同軸三リング電機構造へ応用した構造を示す模式図である。
【図１８】本発明の一実施形態による磁気伝達極面体と磁極によって永久磁石の磁極を挟む電機の同軸三リング電機構造へ応用した構造を示す模式図である。
【図１９】本発明の一実施形態による磁気伝達極面体と磁極によって永久磁石の磁極を挟む電機の同軸三リング電機構造へ応用した構造を示す模式図である。
【図２０】本発明の一実施形態による磁気伝達極面体と磁極によって永久磁石の磁極を挟む電機の同軸三リング電機構造へ応用し、永久磁石の磁極両端の極面に磁気伝達極面体を設置した構造を示す模式図である。
【図２１】本発明の一実施形態による磁気伝達極面体と磁極によって永久磁石の磁極を挟む電機の二層式ディスク電機へ応用した構造を示す模式図である。
【図２２】本発明の一実施形態による磁気伝達極面体と磁極によって永久磁石の磁極を挟む電機の同軸三層式ディスク電機へ応用した構造を示す模式図である。
【図２３】本発明の一実施形態による磁気伝達極面体と磁極によって永久磁石の磁極を挟む電機の同軸三層式ディスク電機へ応用した構造を示す模式図である。
【図２４】本発明の一実施形態による磁気伝達極面体と磁極によって永久磁石の磁極を挟む電機の同軸三層式ディスク電機へ応用した構造を示す模式図である。
【図２５】本発明の一実施形態による磁気伝達極面体と磁極によって永久磁石の磁極を挟む電機の同軸三層式ディスク電機へ応用した構造を示す模式図である。
【図２６】本発明の一実施形態による磁気伝達極面体と磁極によって永久磁石の磁極を挟む電機の同軸三層式ディスク電機へ応用した構造を示す模式図である。
【図２７】本発明の一実施形態による磁気伝達極面体と磁極によって永久磁石の磁極を挟む電機の同軸三層式ディスク電機へ応用した構造を示す模式図である。
【図２８】本発明の一実施形態による磁気伝達極面体と磁極によって永久磁石の磁極を挟む電機の同軸三層式ディスク電機へ応用した構造を示す模式図である。
【図２９】本発明の一実施形態による磁気伝達極面体と磁極によって永久磁石の磁極を挟む電機の同軸三層式ディスク電機へ応用した構造を示す模式図である。
【図３０】本発明の一実施形態による磁気伝達極面体と磁極によって永久磁石の磁極を挟む電機の同軸三層式ディスク電機へ応用し、永久磁石の磁極両端の極面に磁気伝達極面体を設置した構造を示す模式図である。
【図３１】本発明の一実施形態による磁気伝達極面体と磁極によって永久磁石の磁極を挟む電機の二層式リニア電機構造へ応用した構造を示す模式図である。
【図３２】本発明の一実施形態による磁気伝達極面体と磁極によって永久磁石の磁極を挟む電機の三層式リニア電機構造へ応用した構造を示す模式図である。
【図３３】本発明の一実施形態による磁気伝達極面体と磁極によって永久磁石の磁極を挟む電機の三層式リニア電機構造へ応用した構造を示す模式図である。
【図３４】本発明の一実施形態による磁気伝達極面体と磁極によって永久磁石の磁極を挟む電機の三層式リニア電機構造へ応用した構造を示す模式図である。
【図３５】本発明の一実施形態による磁気伝達極面体と磁極によって永久磁石の磁極を挟む電機の三層式リニア電機構造へ応用した構造を示す模式図である。
【図３６】本発明の一実施形態による磁気伝達極面体と磁極によって永久磁石の磁極を挟む電機の三層式リニア電機構造へ応用した構造を示す模式図である。
【図３７】本発明の一実施形態による磁気伝達極面体と磁極によって永久磁石の磁極を挟む電機の三層式リニア電機構造へ応用した構造を示す模式図である。
【図３８】本発明の一実施形態による磁気伝達極面体と磁極によって永久磁石の磁極を挟む電機の三層式リニア電機構造へ応用した構造を示す模式図である。
【図３９】本発明の一実施形態による磁気伝達極面体と磁極によって永久磁石の磁極を挟む電機の三層式リニア電機構造へ応用した構造を示す模式図である。
【図４０】本発明の一実施形態による磁気伝達極面体と磁極によって永久磁石の磁極を挟む電機の三層式リニア電機構造へ応用し、永久磁石の磁石の両端に磁気伝達極面体を設置した構造を示す模式図である。
【発明を実施するための形態】
【０００７】
本発明の一実施形態による磁気伝達極面体と磁極によって永久磁石の磁極を挟む電機は、今までの各種電機によく使われる個別電磁を設置した磁気伝達極面体１１１が磁路部材１０２との間に永久磁石の磁極を挟むものである。その取り付け方式は、隣り合う個別磁極の磁気伝達極面体と磁路部材により挟まれる永久磁石の磁極の極性が反対になっているものがある。或いは、隣り合う個別磁極の磁気伝達極面体と磁路部材により挟まれる永久磁石の磁極は同極性を含む。
本実施形態の個別磁極の磁気伝達極面体と磁路部材との間に永久磁石の磁極を挟む構造への応用の模式図を図２のように示す。
【０００８】
図２は本実施形態の磁気伝達極面体と磁極によって永久磁石の磁極を挟む電機の中に磁路部材１０２と共同して永久磁石の磁極１０３の磁気伝達極面体１１１を挟み固定することにより、磁極を構成する。磁路部材１０２や磁気伝達極面体１１１はシリコン鋼片または鋼或いは鉄等のよく使われる良好な磁気伝達材料を使用し、一体構成或いは複数の材質が重なり合って、或いは、磁気伝達性材料の粉末冶金より構成するものである。磁気伝達極面体１１１の極面は、電磁効果をインタラクトする別の電機構造体と向かい合う。磁気伝達極面体１１１の極面は、ニーズにより凹や凸弧面状或いは平面状形を呈し、また、更なるニーズにより溝或いは凹凸或いは特定の幾何形状を持つ極面を選択することも可能である。
【０００９】
本実施形態の個別磁極の磁気伝達極面体と磁極の磁路頸部との間に永久磁石の磁極を挟む構造への応用の模式図を図３のように示す。
図３は本実施形態の磁気伝達極面体と磁極によって永久磁石の磁極を挟む電機の中の個別磁極は、更に磁極１０１の磁路頸部１０４と磁気伝達極面体１１１が共同して永久磁石の磁極１０３を挟み固定することも可能である。磁路部材１０２や磁極の磁路頸部１０４或いは磁気伝達極面体１１１は、シリコン鋼片または鋼或いは鉄等のよく使われる良好な磁気伝達材料を使用し、一体構成或いは複数材質が重なり合って構成し、或いは、磁気伝達性材料の粉末冶金より構成するものである。磁気伝達極面体１１１の極面は、電磁効果をインタラクトする別の電機構造体と向かい合い、磁気伝達極面体１１１の極面はニーズにより凹凸弧面状或いは平面状形を呈し、また、更なるニーズにより溝或いは凹凸或いは特定の幾何形状を持つ極面を選択することも可能である。
【００１０】
本実施形態の磁気伝達極面体と磁極によって永久磁石の磁極を挟む電機の個別磁極の磁気伝達極面体１１１と磁路部材１０２によって永久磁石の磁極１０３を挟む方式の例を下記に挙げる。ファスナーで固定或いは挟み固定、ねじや袋ナットで固定、リベットで固定、ピンと穴構造で固定、ぴったりした寸法及び選定した幾何形状に合わせて嵌め込み固定、磁路構造で挟み圧迫、機械外殻で挟み圧迫、専用部材で挟み圧迫、接着材料で接着する等の方式で永久磁石の磁極１０３を挟み、或いは、その他永久磁石の磁極１０３等によく使われる固定方式を含む。
【００１１】
本実施形態の磁気伝達極面体と磁極によって永久磁石の磁極を挟む電機は、直流や交流電気エネルギーのロータリー電機やリニア電機を含む。また、ローター式ブラシ電機、ブラシレス電機、リング電機、シンクロ電機、アシンクロナス電機、正回転電機、逆回転電機、電機の中間構造の回転式電機、ダブルアクション電機、トリプルアクション電機、多層式電機、多リング電機、リニア電機、ブラシレス直流電機、インバーター電機、発電機、電動機、発電機兼電動機機能電機、電磁効果を行う渦巻きカップリング伝動装置、電磁効果を行う渦巻き制動装置等の電機装置の機能作動に供するものを含む。
【００１２】
本実施形態の磁気伝達極面体と磁極によって永久磁石の磁極を挟む電機は、個別磁極の磁気伝達極面体１１１と磁路部材１０２により永久磁石の磁極１０３を挟む革新的な設計により、永久磁石の磁極が振動により脱落することが避けられ、また、電機作動中に、逆方向励磁により磁力が弱くなることも避けられる。
本実施形態の磁気伝達極面体と磁極によって永久磁石の磁極を挟む電機は、下記の応用形式を含む。
【００１３】
１．電機の内層構造及び電機の外層構造を持つシリンダー電機によって構成することも可能であるが、電機の内層構造１１及び電機の外層構造１２より構成するものを含む。図４は本実施形態の機械外殻、ベアリング、ファスナー、クーリングブレード、選択設置した導電装置の主体構造以外の外形へ応用した構造の分解斜視図を示す。
【００１４】
２．電機の内リング構造、電機の中リング構造、電機の外リング構造のセットで同軸作動を行う同軸三リング電機によって構成することも可能であるが、電機の内リング構造２１、電機の中リング構造２２、電機の外リング構造２３より構成するものを含む。図５は本実施形態の同軸三リング電機の機械外殻、ベアリング、ファスナー、クーリングブレード、選択設置した導電装置の主体構造以外の外形へ応用した構造の分解斜視図を示す。
【００１５】
３．二層構造が重なって同軸作動を行う同軸二層式ディスク電機によって構成することも可能であるが、電機の内層ディスク構造３１及び電機の外層ディスク構造３２より構成するものを含む。図６は本実施形態の同軸二層式ディスク電機の機械外殻、ベアリング、ファスナー、クーリングブレード、選択設置した導電装置の主体構造以外の外形へ応用した構造の分解斜視図を示す。
【００１６】
４．電機の内層構造、電機の中層構造、電機の外層構造が重なって同軸作動を行う同軸三層式ディスク電機によって構成することも可能であるが、ディスク電機の内層構造４１、ディスク電機の中層構造４２、ディスク電機の外層構造４３より構成するものを含む。図７は本実施形態の同軸三層式ディスク電機の機械外殻、ベアリング、ファスナー、クーリングブレード、選択設置した導電装置の主体構造以外の外形へ応用した構造の分解斜視図を示す。
【００１７】
５．リニア電機の二層構造によりリニアカップリングを行う二層式リニア電機によって構成することも可能であるが、リニア電機の内層構造５１、リニア電機の外層構造５２より構成するものを含む。図８は本実施形態の二層式リニア電機の機械外殻、ベアリング、ファスナー、クーリングブレード、選択設置した導電装置の主体構造以外の外形へ応用した構造の分解斜視図を示す。
【００１８】
６．リニア電機の内層構造、電機の中層構造、電機の外層構造によりリニアカップリングを行う三層式リニア電機によって構成することも可能であるが、リニア電機の内層構造６１、リニア電機の中層構造６２、リニア電機の外層構造６３より構成するものを含む。図９は本実施形態の三層式リニア電機の機械外殻、ベアリング、ファスナー、クーリングブレード、選択設置した導電装置の主体構造以外の外形へ応用した構造の分解斜視図を示す。
【００１９】
下記に本実施形態の各種構造形態の応用例を示す。一つは二ピースの電機構造、もう一つは三ピースの電機構造より構成するものを含む。同じ原理に従って更に多いパーツより構成することもできるので、省略する。
【００２０】
本実施形態をシリンダー電機の構造へ応用する構造の模式図を図１０のように示す。その中で電機の内層構造と電磁カップリング効果を行う電機の外層構造は電機の内層構造と電磁カップリング効果の面に向き、個別磁極の磁気伝達極面体と磁路部材との間に永久磁石の磁極を挟む。
【００２１】
図１０はシリンダー電機構造を示し、その中で電機の内層構造１１と電磁カップリング効果を行う電機の外層構造１２は、電機の内層構造１１の電磁カップリング効果の面に向く。個別電磁を設置した磁気伝達極面体１１１は、磁路部材１０２との間に永久磁石の磁極１０３を設置することにより、磁極を構成する。更に個別磁極を構成する磁気伝達極面体は、磁路部材との間に永久磁石の磁極を挟むシリンダー電機を示す。
【００２２】
本実施形態をシリンダー電機構造へ応用する構造の模式図を図１１のように示す。その中で電機の外層構造と電磁カップリング効果を行う電機の内層構造は電機の外層構造と電磁カップリング効果の面に向き、個別磁極の磁気伝達極面体は磁路部材との間に永久磁石の磁極のシリンダー電機を挟む。
【００２３】
図１１はシリンダー電機の構造を示し、その中で電機の外層構造１２と電磁カップリング効果を行う電機の内層構造１１は、電機の外層構造１２の電磁カップリング効果の面に向く。個別磁極の磁気伝達極面体１１１は、磁路部材１０２との間に永久磁石の磁極１０３を挟み、更に個別磁極を構成する磁気伝達極面体は磁路部材との間に永久磁石の磁極を挟むシリンダー電機を示す。
【００２４】
本実施形態を同軸三リング電機構造へ応用する構造の模式図を図１２のように示す。その中で電機の中リング構造と電磁カップリング効果を行う電機の外リング構造は電機の中リング構造と電磁カップリング効果の面に向き、個別磁極を構成する磁気伝達極面体は磁路部材との間に永久磁石の磁極を挟む。
【００２５】
図１２は同軸三リング電機の構造を示し、その中で電機の中リング構造２２と電磁カップリング効果を行う電機の外リング構造２３は、電機の中リング構造２２の電磁カップリング効果の面に向き、個別磁極の磁気伝達極面体１１１と磁路部材１０２との間に永久磁石の磁極１０３を挟み、電機の中リング構造２２と電磁効果をインタラクトすることに供する。電機の中リング構造２２と電機の内リング構造２１との間にある電機構造形態は、電磁効果特性のニーズに従って選定してよいが、更に個別磁極を構成する磁気伝達極面体は磁路部材との間に永久磁石の磁極を挟む同軸三リング電機を示す。
【００２６】
本実施形態を同軸三リング電機構造へ応用する構造の模式図を図１３のように示す。その中で電機の外リング構造と電磁カップリング効果を行う電機の中リング構造は電機の外リング構造の電磁カップリング効果の面に向き、個別磁極の磁気伝達極面体は磁路部材との間に永久磁石の磁極を挟む。
【００２７】
図１３は同軸三リング電機の構造を示し、その中で電機の外リング構造２３と電磁カップリング効果を行う電機の中リング構造２２は、電機の外リング構造２３の電磁カップリング効果の面に向く。個別電磁を設置した磁気伝達極面体１１１は、磁路部材１０２との間に永久磁石の磁極１０３を挟み、電機の外リング構造２３と電磁効果をインタラクトすることに供する。電機の中リング構造２２と電機の内リング構造２１との間にある電機構造形態は電磁効果特性のニーズに従って選定してもよい。更に個別磁極を構成する磁気伝達極面体は磁路部材との間に永久磁石の磁極を挟む同軸三リング電機を示す。
【００２８】
本実施形態を同軸三リング電機構造へ応用する構造の模式図を図１４のように示す。その中で電機の内リング構造と電磁カップリング効果を行う電機の中リング構造は電機の内リング構造と電磁カップリング効果の面に向き、個別磁極の磁気伝達極面体は磁路部材との間に永久磁石の磁極を挟む。
【００２９】
図１４に示すように同軸三リング電機構造へ応用し、その中で電機の内リング構造２１と電磁カップリング効果を行う電機の中リング構造２２は、電機の内リング構造２１の電磁カップリング効果の面に向く。個別電磁を設置した磁気伝達極面体１１１は、磁路部材１０２との間に永久磁石の磁極１０３を挟み、電機の内リング構造２１と電磁効果をインタラクトすることに供する。電機の中リング構造２２と電機の外リング構造２３との間にある電機構造形態は電磁効果特性のニーズに従って選定してよいが、更に個別磁極を構成する磁気伝達極面体は磁路部材との間に永久磁石の磁極を挟む同軸三リング電機を示す。
【００３０】
本実施形態を同軸三リング電機構造へ応用する構造の模式図を図１５のように示す。その中で電機の中リング構造と電磁カップリング効果を行う電機の内リング構造は電機の中リング構造の電磁カップリング効果の面に向き、個別磁極の磁気伝達極面体は磁路部材との間に永久磁石の磁極を挟む。
【００３１】
図１５は同軸三リング電機構造を示し、その中で電機の中リング構造２２と電磁カップリング効果を行う電機の内リング構造２１は、電機の中リング構造２２の電磁カップリング効果の面に向く。個別電磁を設置した磁気伝達極面体１１１は、磁路部材１０２との間に永久磁石の磁極１０３を挟み、電機の中リング構造２２と電磁効果をインタラクトすることに供する。しかし、電機の中リング構造２２と電機の外リング構造２３との間にある電機構造形態は電磁効果特性のニーズに従って選定してよいが、更に個別磁極を構成する磁気伝達極面体は磁路部材との間に永久磁石の磁極を挟む同軸三リング電機を示す。
【００３２】
本実施形態を同軸三リング電機構造へ応用する構造の模式図を図１６のように示す。その中で電機の中リング構造と電磁カップリング効果を行う電機の内リング構造は電磁カップリング効果の面、及び電機の外リング構造と電磁カップリング効果を行う電機の中リング構造の電磁カップリング効果の面の両方に個別電磁を設置した磁気伝達極面体と磁路部材との間に永久磁石の磁極を挟む。      
【００３３】
図１６は同軸三リング電機の構造を示し、その中で電機の中リング構造２２と電磁カップリング効果を行う電機の内リング構造２１は、電機の中リング構造２２の電磁カップリング効果の面、及び電機の外リング構造２３と電磁カップリング効果を行う電機の中リング構造２２は、電機の外リング構造２３の電磁カップリング効果の面の両方に個別電磁を設置した磁気伝達極面体１１１が磁路部材１０２との間に永久磁石の磁極１０３を挟む。更に個別磁極を構成する磁気伝達極面体は、磁路部材との間に永久磁石の磁極を挟む。
【００３４】
本実施形態を同軸三リング電機構造へ応用する構造の模式図を図１７のように示す。その中で電機の中リング構造と電磁カップリング効果を行う電機の外リング構造は電磁カップリング効果の面、及び電機の内リング構造と電磁カップリング効果を行う電機の中リング構造の電磁カップリング効果の面の両方に個別電磁を設置した磁気伝達極面体と磁路部材との間に永久磁石の磁極を挟む。
【００３５】
図１７は同軸三リング電機構造を示し、その中で電機の中リング構造２２と電磁カップリング効果を行う電機の外リング構造２３は、電機の中リング構造２２の電磁カップリング効果の面に向く。電機の内リング構造２１と電磁カップリング効果を行う電機の中リング構造２２は、電機の内リング構造２１の電磁カップリング効果の面の両方に個別電磁を設置した磁気伝達極面体１１１が磁路部材１０２との間に永久磁石の磁極１０３を挟む。更に個別磁極を構成する磁気伝達極面体は、磁路部材との間に永久磁石の磁極を挟む同軸三リング電機を示す。
【００３６】
本実施形態を同軸三リング電機構造へ応用する構造の模式図を図１８のように示す。その中で電機の外リング構造は電機の中リング構造の電磁カップリング効果の面に向き、電機の内リング構造は電機の中リング構造の電磁カップリング効果の面の両方に個別電磁を設置した磁気伝達極面体が磁路部材との間に永久磁石の磁極を挟む。
【００３７】
図１８は同軸三リング電機構造を示し、その中で電機の中リング構造２２と電磁カップリング効果を行う電機の外リング構造２３は、電機の中リング構造２２の電磁カップリング効果の面に向き、電機の中リング構造２２と電磁カップリング効果を行う電機の内リング構造２１は電機の中リング構造２２の電磁カップリング効果の面の両方に個別電磁を設置した磁気伝達極面体１１１が磁路部材１０２との間に永久磁石の磁極１０３を挟み、電機の中リング構造２２と共同して個別磁極を構成する磁気伝達極面体は磁路部材との間に永久磁石の磁極を挟む同軸三リング電機を示す。
【００３８】
本実施形態を同軸三リング電機構造へ応用する磁極構造の模式図を図１９のように示す。その中で電機の外リング構造及び電機の内リング構造と電磁カップリング効果を行う電機の中リング構造は電機の外リング構造に向き、電機の内リング構造の電磁カップリング効果の面に向き、個別磁極を構成する磁気伝達極面体は磁路部材との間に永久磁石を挟む。
【００３９】
図１９は同軸三リング電機構造を示し、その中で電機の外リング構造２３及び電機の内リング構造２１と電磁カップリング効果を行う電機の中リング構造２２は、電機の外リング構造２３及び電機の内リング構造２１の電磁カップリング効果の面に向く。個別電磁を設置した磁気伝達極面体１１１は、磁路部材１０２との間に永久磁石の磁極１０３を挟み、電機の内リング構造２１及び電機の外リング構造２３と電磁効果をインタラクトすることに供する。共同して個別磁極を構成する磁気伝達極面体は、磁路部材との間に永久磁石の磁極を挟む同軸三リング電機を示す。      
【００４０】
本実施形態を同軸三リング電機構造へ応用する模式図を図２０のように示す。その中で電機の内リング構造及び電機の外リング構造と電磁カップリング効果を行う電機の中リング構造に供し、電機の内リング構造及び電機の外リング構造と両側でカップリングする永久磁石の磁極を設置することにより、磁極を構成する。また、永久磁石の磁極両端の極面に磁気伝達極面体の構造を取り付ける。
【００４１】
図２０は同軸三リング電機構造を示し、その中で両側の電機の内リング構造２１及び電機の外リング構造２３と電磁カップリング効果を行う電機の中リング構造２２に供し、永久磁石の磁極１０３を設置することにより、磁極を構成する。また、永久磁石の磁極１０３両端の極面に磁気伝達極面体１１１を取り付け、永久磁石の磁極１０３両端の磁極は磁気伝達極面体１１１を通して別々に電機の内リング構造２１及び電機の外リング構造２３の両側でカップリングを行い、電磁効果をインタラクトし、更に永久磁石の磁極両端の極面に磁気伝達極面体を取り付けた同軸三リング電機を示す。
【００４２】
本実施形態を二層式ディスク電機の内層構造へ応用する構造の模式図を図２１のように示す。その中でディスク電機の内層構造はディスク電機の外層構造の電磁カップリング効果の面に向き、個別電磁を設置した磁気伝達極面体は磁路部材との間に永久磁石の磁極を挟む。
【００４３】
図２１は二層式ディスク電機の内層構造を示し、その中のディスク電機の内層構造３１はディスク電機の外層構造３２の電磁カップリング効果の面に向くところに、個別磁極の磁気伝達極面体１１１と磁路部材１０２との間に永久磁石の磁極１０３を挟み、ディスク電機の外層構造３２と電磁効果をインタラクトすることに供する。或いは、ディスク電機の外層構造３２がディスク電機の内層構造３１の電磁カップリング効果の面に向くところに、個別磁極の磁気伝達極面体１１１と磁路部材１０２との間に永久磁石の磁極１０３を挟み、ディスク電機の内層構造３１と電磁効果をインタラクトすることに供する。更に個別磁極を構成する磁気伝達極面体は、磁路部材との間に永久磁石の磁極を挟む二層式ディスク電機を示す。
【００４４】
本実施形態を同軸三層式ディスク電機の内層構造へ応用する構造の模式図を図２２のように示す。その中のディスク電機の内層構造がディスク電機の中層構造の電磁カップリング効果の面に向き、個別電磁を設置した磁気伝達極面体は磁路部材との間に永久磁石の磁極を挟む。
【００４５】
図２２は同軸三層式ディスク電機の内層構造を示し、その中のディスク電機の内層構造４１は、ディスク電機の中層構造４２の電磁カップリング効果の面に向くところに、個別磁極の磁気伝達極面体１１１と磁路部材１０２との間に永久磁石の磁極１０３を挟み、ディスク電機の中層構造４２と電磁効果をインタラクトすることに供する。ディスク電機の中層構造４２とディスク電機の外層構造４３との間にある電機構造形態は電磁効果特性のニーズに従って選定してよいが、更に個別磁極を構成する磁気伝達極面体は磁路部材との間に永久磁石の磁極を挟む三層式ディスク電機を示す。
【００４６】
本実施形態を同軸三層式ディスク電機の内層構造へ応用する構造の模式図を図２３のように示す。その中のディスク電機の中層構造はディスク電機の内層構造の電磁カップリング効果の面に向き、個別磁極を構成する磁気伝達極面体は磁路部材との間に永久磁石の磁極を挟む。
【００４７】
図２３は同軸三層式ディスク電機の内層構造を示し、その中のディスク電機の中層構造４２は、ディスク電機の内層構造４１の電磁カップリング効果の面に向く。個別電磁を設置した磁気伝達極面体１１１は、磁路部材１０２との間に永久磁石の磁極１０３を挟み、ディスク電機の内層構造４１と電磁効果をインタラクトすることに供する。ディスク電機の中層構造４２とディスク電機の外層構造４３との間にある電機構造形態は電磁効果特性のニーズに従って選定してよいが、更に個別磁極を構成する磁気伝達極面体は磁路部材との間に永久磁石の磁極を挟む三層式ディスク電機を示す。
【００４８】
本実施形態を同軸三層式ディスク電機の内層構造へ応用する構造の模式図を図２４のように示す。その中のディスク電機の外層構造はディスク電機の中層構造の電磁カップリング効果の面に向き、個別磁極を構成する磁気伝達極面体は磁路部材との間に永久磁石の磁極を挟む。
【００４９】
図２４は同軸三層式ディスク電機の内層構造を示し、その中のディスク電機の外層構造４３は、ディスク電機の中層構造４２の電磁カップリング効果の面に向く。個別磁極を構成する磁気伝達極面体１１１と磁路部材１０２との間に永久磁石の磁極１０３を挟み、ディスク電機の中層構造４２と電磁効果をインタラクトすることに供する。ディスク電機の中層構造４２とディスク電機の内層構造４１との間にある電機構造形態は電磁効果特性のニーズに従って選定してよいが、更に個別磁極を構成する磁気伝達極面体は磁路部材との間に永久磁石の磁極を挟む三層式ディスク電機を示す。
【００５０】
図２５に本実施形態を同軸三層式ディスク電機の内層構造へ応用する構造の模式図を図２５のように示す。その中のディスク電機の中層構造はディスク電機の外層構造の電磁カップリング効果の面に向き、個別磁極を構成する磁気伝達極面体は磁路部材との間に永久磁石の磁極を挟む。
【００５１】
図２５は同軸三層式ディスク電機の内層構造を示し、その中のディスク電機の中層構造４２は、ディスク電機の外層構造４３の電磁カップリング効果の面に向く。個別磁極を構成する磁気伝達極面体１１１と磁路部材１０２との間に永久磁石の磁極１０３を挟み、ディスク電機の外層構造４３と電磁効果をインタラクトすることに供する。ディスク電機の中層構造４２とディスク電機の内層構造４１との間にある電機構造形態は電磁効果特性のニーズに従って選定してよいが、更に個別磁極を構成する磁気伝達極面体は磁路部材との間に永久磁石の磁極を挟む三層式ディスク電機を示す。
【００５２】
本実施形態を同軸三層式ディスク電機の内層構造へ応用する構造の模式図を図２６のように示す。その中のディスク電機の内層構造はディスク電機の中層構造の電磁カップリング効果の面に向き、ディスク電機の中層構造はディスク電機の外層構造の電磁カップリング効果の面の両方に個別電磁を設置した磁気伝達極面体が磁路部材との間に永久磁石の磁極を挟む。
【００５３】
図２６は同軸三層式ディスク電機の内層構造を示し、その中のディスク電機の内層構造４１は、ディスク電機の中層構造４２の電磁カップリング効果の面に向く。ディスク電機の中層構造４２は、ディスク電機の外層構造４３の電磁カップリング効果の面の両方に個別電磁を設置した磁気伝達極面体１１１が磁路部材１０２との間に永久磁石の磁極１０３を挟み、ディスク電機の外層構造４３と共同して、個別磁極を構成する磁気伝達極面体は磁路部材との間に永久磁石の磁極を挟む三層式ディスク電機を示す。
【００５４】
本実施形態を同軸三層式ディスク電機の内層構造へ応用する磁極構造の模式図を図２７のように示す。その中のディスク電機の外層構造はディスク電機の中層構造の電磁カップリング効果の面に向き、ディスク電機の中層構造はディスク電機の内層構造の電磁カップリング効果の面の両方に個別電磁を設置した磁気伝達極面体が磁路部材との間に永久磁石を挟む。
【００５５】
図２７は同軸三層式ディスク電機の内層構造を示し、その中のディスク電機の外層構造４３は、ディスク電機の中層構造４２の電磁カップリング効果の面に向き、ディスク電機の中層構造４２はディスク電機の内層構造４１の電磁カップリング効果の面の両方に個別電磁を設置した磁気伝達極面体１１１が磁路部材１０２との間に永久磁石の磁極１０３を設置することにより、磁極を構成する。更に個別磁極を構成する磁気伝達極面体は、磁路部材との間に永久磁石の磁極を挟む同軸三層式ディスク電機を示す。
【００５６】
本実施形態を同軸三層式ディスク電機の内層構造へ応用する構造の模式図を図２８のように示す。その中のディスク電機の内層構造及びディスク電機の外層構造はディスク電機の中層構造と電磁カップリング効果の面、個別電磁を設置した磁気伝達極面体と磁路部材との間に永久磁石の磁極を挟む。
【００５７】
図２８は同軸三層式ディスク電機の内層構造を示し、その中のディスク電機の内層構造４１は、ディスク電機の中層構造４２の電磁カップリング効果の面に向く。ディスク電機の外層構造４３は、ディスク電機の中層構造４２の電磁カップリング効果の面の両方に個別電磁を設置した磁気伝達極面体１１１が磁路部材１０２との間に永久磁石の磁極１０３を挟み、ディスク電機の中層構造４２と電磁効果をインタラクトすることに供する。更に個別磁極を構成する磁気伝達極面体は、磁路部材との間に永久磁石の磁極を挟む同軸三層式ディスク電機を示す。
【００５８】
本実施形態を同軸三層式ディスク電機の内層構造へ応用し、その中の両側のディスク電機の内層構造及びディスク電機の外層構造と電磁カップリング効果を行うディスク電機の中層構造に供し、その両側に個別電磁を設置した磁気伝達極面体は磁路部材との間に永久磁石の磁極を挟む構造の模式図を図２９のように示す。
【００５９】
図２９は同軸三層式ディスク電機の内層構造を示し、その中のディスク電機の中層構造４２の両側は、ディスク電機の内層構造４１及びディスク電機の外層構造４３の両側電磁カップリング効果の面に供する。個別磁極の磁気伝達極面体１１１と磁路部材１０２との間に永久磁石の磁極１０３を挟み、ディスク電機の内層構造４１及びディスク電機の外層構造４３と電磁効果をインタラクトすることに供する。更に個別磁極の磁気伝達極面体は、磁路部材との間に永久磁石の磁極を挟む同軸三層式ディスク電機を示す。
【００６０】
本実施形態を同軸三層式ディスク電機の内層構造へ応用する構造の模式図を図３０のように示す。その中の両側のディスク電機の内層構造及びディスク電機の外層構造と電磁カップリング効果を行うディスク電機の中層構造に供し、永久磁石の磁極を設置することにより、磁極を構成し、また、永久磁石の磁極両端の極面に磁気伝達極面体を取り付ける。
【００６１】
図３０は同軸三層式ディスク電機の内層構造を示し、その中の両側のディスク電機の内層構造４１及びディスク電機の外層構造４３と電磁カップリング効果を行うディスク電機の中層構造４２に供し、永久磁石の磁極１０３を設置することにより、磁極を構成する。また、永久磁石の磁極１０３両端の極面に磁気伝達極面体１１１を設置し、永久磁石の磁極１０３両端の磁極は磁気伝達極面体１１１を通して別々にディスク電機の内層構造４１及びディスク電機の外層構造４３の両側でカップリングを行い、電磁効果をインタラクトする。更に永久磁石の磁極両端の極面に磁気伝達極面体を取り付ける同軸三層式ディスク電機を示す。
【００６２】
本実施形態を二層式リニア電機構造へ応用する二層式リニア電機構造の模式図を図３１のように示す。その中のリニア電機の内層構造は電磁カップリング効果の面に向き、個別磁極の磁気伝達極面体は磁路部材との間に永久磁石の磁極を挟む。
【００６３】
図３１は二層式リニア電機構造を示し、その中のリニア電機の内層構造５１は、電磁カップリング効果を行うリニア電機の外層構造５２の方向に向く。個別電磁を設置した磁気伝達極面体１１１は、磁路部材１０２との間に永久磁石の磁極１０３を挟み、リニア電機の外層構造５２と電磁効果をインタラクトすることに供する。或いは、リニア電機の外層構造５２がリニア電機の内層構造５１の電磁カップリング効果の面に向くところに、個別磁極の磁気伝達極面体１１１と磁路部材１０２との間に永久磁石の磁極１０３を挟み、リニア電機の内層構造５１と電磁効果をインタラクトすることに供し、更に個別磁極の磁気伝達極面体は磁路部材との間に永久磁石の磁極を挟む二層式リニア電機を示す。
【００６４】
本実施形態を三層式リニア電機構造へ応用する構造の模式図を図３２のように示す。その中のリニア電機の外層構造はリニア電機の中層構造の電磁カップリング効果の面に向くところに、個別磁極の磁気伝達極面体と磁路部材との間に永久磁石の磁極を挟む。
【００６５】
図３２は三層式リニア電機構造を示し、その中のリニア電機の外層構造６３は、リニア電機の中層構造６２の電磁カップリング効果の面に向くところに、個別磁極の磁気伝達極面体１１１と磁路部材１０２との間に永久磁石の磁極１０３を挟み、リニア電機の中層構造６２と電磁効果をインタラクトすることに供する。ディスク電機の中層構造６２とディスク電機の内層構造６１との間にある電機構造形態は電磁効果特性のニーズに従って選定してよいが、更に個別磁極の磁気伝達極面体は磁路部材との間に永久磁石の磁極を挟む三層式リニア電機を示す。
【００６６】
本実施形態を三層式リニア電機構造へ応用する構造の模式図を図３３のように示す。その中のリニア電機の中層構造はリニア電機の外層構造の電磁カップリング効果の面に向くところに、個別磁極の磁気伝達極面体が磁路部材との間に永久磁石の磁極を挟む。
【００６７】
図３３は三層式リニア電機構造を示し、その中のリニア電機の中層構造６２は、リニア電機の外層構造６３の電磁カップリング効果の面に向くところに、個別磁極の磁気伝達極面体１１１と磁路部材１０２との間に永久磁石の磁極１０３を挟み、リニア電機の外層構造６３と電磁効果をインタラクトすることに供する。リニア電機の中層構造６２とリニア電機の内層構造６１との間にある電機構造形態は電磁効果特性のニーズに従って選定してよいが、更に個別磁極の磁気伝達極面体は磁路部材との間に永久磁石の磁極を挟む三層式リニア電機を示す。
【００６８】
本実施形態を三層式リニア電機構造へ応用する構造の模式図を図３４のように示す。その中のリニア電機の内層構造はリニア電機の中層構造の電磁カップリング効果の面に向くところに、個別磁極の磁気伝達極面体が磁路部材との間に永久磁石の磁極を挟む。
【００６９】
図３４は三層式リニア電機構造を示し、その中のリニア電機の内層構造６１は、リニア電機の中層構造６２の電磁カップリング効果の面に向くところに、個別磁極の磁気伝達極面体１１１と磁路部材１０２との間に永久磁石の磁極１０３を挟み、リニア電機の中層構造６２と電磁効果をインタラクトすることに供する。ディスク電機の中層構造６２とディスク電機の外層構造６３との間にある電機構造形態は電磁効果特性のニーズに従って選定してよいが、更に個別磁極の磁気伝達極面体は磁路部材との間に永久磁石の磁極を挟む三層式リニア電機を示す。
【００７０】
本実施形態を三層式リニア電機構造へ応用する磁極構造の模式図を図３５のように示す。その中のリニア電機の中層構造はリニア電機の内層構造の電磁カップリング効果の面に向くところに、個別磁極の磁気伝達極面体が磁路部材との間に永久磁石を挟む。
【００７１】
図３５は三層式リニア電機構造を示し、その中のリニア電機の中層構造６２は、リニア電機の内層構造６１の電磁カップリング効果の面に向くところに、個別磁極の磁気伝達極面体１１１と磁路部材１０２との間に永久磁石の磁極１０３を挟み、リニア電機の内層構造６１と電磁効果をインタラクトすることに供する。リニア電機の中層構造６２とリニア電機の外層構造６３との間にある電機構造形態は電磁効果特性のニーズに従って選定してよいが、更に個別磁極の磁気伝達極面体は磁路部材との間に永久磁石を挟む磁極の三層式リニア電機を示す。
【００７２】
本実施形態を三層式リニア電機構造へ応用する構造の模式図を図３６のように示す。その中のリニア電機の中層構造はリニア電機の外層構造の電磁カップリング効果の面に向くところに、リニア電機の内層構造はリニア電機の中層構造の電磁カップリング効果の面の両方に個別磁極の磁気伝達極面体が磁路部材との間に永久磁石の磁極を挟む。
【００７３】
図３６は三層式リニア電機構造を示し、その中のリニア電機の中層構造６２はリニア電機の外層構造６３の電磁カップリング効果の面に向くところに、リニア電機の内層構造６１はリニア電機の中層構造６２の電磁カップリング効果の面の両方に個別磁極の磁気伝達極面体１１１と磁路部材１０２との間に永久磁石の磁極１０３を挟み、更に個別磁極の磁気伝達極面体は磁路部材との間に永久磁石の磁極を挟む三層式リニア電機を示す。
【００７４】
本実施形態を三層式リニア電機構造へ応用する構造の模式図を図３７のように示す。その中のリニア電機の外層構造はリニア電機の中層構造の電磁カップリング効果の面に向き、リニア電機の中層構造はリニア電機の内層構造の電磁カップリング効果の面の両方に個別磁極の磁気伝達極面体が磁路部材との間に永久磁石の磁極を挟む。
【００７５】
図３７は三層式リニア電機構造を示し、その中のリニア電機の外層構造６３は、リニア電機の中層構造６２の電磁カップリング効果の面に向き、リニア電機の中層構造６２はリニア電機の内層構造６１の電磁カップリング効果の面の両方に個別電磁を設置した磁気伝達極面体１１１が磁路部材１０２との間に永久磁石の磁極１０３を挟み、更に個別磁極の磁気伝達極面体は磁路部材との間に永久磁石の磁極を挟む三層式リニア電機を示す。
【００７６】
本実施形態を三層式リニア電機構造へ応用する構造の模式図を図３８のように示す。その中でリニア電機の中層構造と電磁カップリング効果を行うリニア電機の外層構造の電磁カップリング面、及びリニア電機の中層構造と電磁カップリング効果を行うリニア電機の内層構造の電磁カップリング面、両方に個別電磁を設置した磁気伝達極面体と磁路部材との間に永久磁石の磁極を挟む。
【００７７】
図３８は三層式リニア電機構造を示し、その中のリニア電機の外層構造６３は、リニア電機の中層構造６２の電磁カップリング効果の面に向く。リニア電機の内層構造６１はリニア電機の中層構造６２の電磁カップリング効果の面の両方に個別電磁を設置した磁気伝達極面体１１１が磁路部材１０２との間に永久磁石の磁極１０３を挟み、リニア電機の中層構造６２と電磁効果をインタラクトすることに供する。更に個別磁極の磁気伝達極面体は、磁路部材との間に永久磁石の磁極を挟む三層式リニア電機を示す。
【００７８】
本実施形態を三層式リニア電機構造へ応用する磁極構造の模式図を図３９のように示す。その中でリニア電機の外層構造及びリニア電機の内層構造と電磁カップリング効果を行うリニア電機の中層構造に供し、その両側の電磁カップリング効果を行うところに設置した個別磁極の磁気伝達極面体は磁路部材との間に永久磁石を挟む。
【００７９】
図３９は三層式リニア電機構造を示し、その中のリニア電機の中層構造６２は、リニア電機の外層構造６３及びリニア電機の内層構造６１と電磁カップリング効果を行う両側の電磁カップリング効果の面に向く。個別磁極の磁気伝達極面体１１１と磁路部材１０２との間に永久磁石の磁極１０３を挟み、リニア電機の内層構造６１とリニア電機の外層構造６３と電磁効果をインタラクトすることに供し、更に個別磁極の磁気伝達極面体は磁路部材との間に永久磁石の磁極を挟む三層式リニア電機を示す。
【００８０】
本実施形態を三層式リニア電機構造へ応用する構造の模式図を図４０のように示す。その中で両側のリニア電機の外層構造及びリニア電機の内層構造と電磁カップリング効果を行うリニア電機の中層構造に永久磁石の磁極を設置することにより、磁極を構成し、また、永久磁石の磁極両端の極面に磁気伝達極面体を設置した。
【００８１】
図４０は三層式リニア電機構造を示し、その中でリニア電機の外層構造６３の両側及びリニア電機の内層構造６１と電磁カップリング効果を行うリニア電機の中層構造６２に供し、永久磁石の磁極１０３より磁極を構成する。また、永久磁石の磁極１０３両端の極面に磁気伝達極面体１１１を設置し、永久磁石の磁極１０３両端の磁極は磁気伝達極面体１１１を通して別々にリニア電機の内層構造６１及びリニア電機の外層構造６３の両側でカップリングを行い、電磁効果をインタラクトする。更に永久磁石の磁極両端の極面に磁気伝達極面体を設置した三層式リニア電機を示す。
【００８２】
上記図９から図４０に示された磁気伝達極面体と磁極によって永久磁石の磁極を挟む電機では、磁気伝達極面体及び磁路部材に挟み取り付けられた永久磁石の磁極は、三層式同軸リング電機構造体、三層式同軸ディスク電機の内層構造体、三層式リニア電機構造体、その他三ピースの電機構造体により電磁効果をインタラクトする電機構造の中間電機構造体に設置したものを含む。
永久磁石１０３の中間電機構造体に取り付けたものは、電機の静止部或いは電機の可動部であってよい。
【００８３】
上記図９から図４０に示された実施形態では、各電機構造の電磁カップリング効果の面に設置する磁極の極数は、ニーズに従って同じ極数或いは異なる極数の選択が可能である。
本実施形態の磁気伝達極面体と磁極によって永久磁石の磁極を挟む電機について、実際に応用するときに、上記通りに二個の電磁効果を通してインタラクトする電機パーツのシリンダー電機（図１０及び図１１）、二層式ディスク電機（図２１）、二層式リニア電機（図３１）の中で、発電機機能、電動機機能、電磁効果を行う渦巻きカップリング伝動機能、電磁効果の渦巻き制動機能を形成する二個のインタラクトする電機パーツに供し、その作動形態は下記を含む。
【００８４】
１．一個の電機パーツは電機の静止部とし、もう一個の電機パーツは電機の可動部とする。
２．或いは、二個の電機パーツは全て電機の可動部とする。
【００８５】
本実施形態の磁気伝達極面体と磁極によって永久磁石の磁極を挟む電機は、実際に応用するときに、上記通りに三個の電磁効果を通してインタラクトする電機パーツの同軸三リング電機（図１２から図２０）、同軸三層式ディスク電機（図２２から図３０）、三層式リニア電機（図３２から図４０）、その他三ピースの電機構造体と電磁カップリング効果の面にインタラクトすることに供する電機構造の中で、発電機機能、電動機機能、発電機兼電動機機能、電磁効果を行う渦巻きカップリング伝動機能、電磁効果を行う渦巻き制動機能を形成する三個のインタラクトする電機パーツに供し、その構成機能は下記を含む。
【００８６】
１．その中で一個の電磁パーツを電機の静止部とし、残りの二個の電磁パーツを電機の可動部とする。
２．或いは、その中で二個の電磁パーツを電機の静止部とし、残りの一個の電磁パーツを電機の可動部とする。
３．或いは、三個の電磁パーツを全て電機の可動部とする。
【００８７】
本実施形態の磁気伝達極面体と磁極によって永久磁石の磁極を挟む電機は、上記の図２から図３３に示された各項の実施形態の中で、個別磁極の磁気伝達極面体と磁極によって永久磁石の磁極を挟む電機パーツ及び電磁カップリング効果の面にインタラクトするその他電機パーツを設置し、電機構造及び巻線の選択及びアレンジ方式は電機全体の属性に従って入力した電気エネルギーの性質、制御機能、制御様式及び出力性能のニーズにより選定する。
【００８８】
本実施形態の磁気伝達極面体と磁極によって永久磁石の磁極を挟む電機は、電磁効果をインタラクトする特性の選択及び取り付けた磁極極数の選択に従って構成する電機全体が直流や交流電気エネルギーで作動するロータリー電機やリニア電機を始め、ローター式ブラシ電機、ブラシレス電機、リング電機、シンクロ電機、アシンクロナス電機、正回転電機、逆回転電機、電機の中間構造の回転式電機、ダブルアクション電機、トリプルアクション電機、多層式電機、多リング電機、リニア電機、ブラシレス直流電機、インバーター電機、発電機、電動機、発電機兼電動機機能電機、電磁効果を行う渦巻きカップリング伝動装置、電磁効果を行う渦巻き制動装置等の電機装置の機能作動に供するものを含む。
【００８９】
上記を総合すると、本実施形態の磁気伝達極面体と磁極によって永久磁石の磁極を挟む電機は、個別磁極の磁気伝達極面体と磁路部材との間に永久磁石の磁極を挟む方式を伝統的な永久磁石の磁極を極面に貼り付ける方式と比較して見ると、永久磁石の磁極が脱落しにくく、また、永久磁石の磁極は逆方向励磁により磁力が弱くなることが避けられる利点を特徴とする。
【符号の説明】
【００９０】
１１：シリンダー電機の内層構造、１２：シリンダー電機の外層構造、２１：同軸三リング電機の内リング構造、２２：同軸三リング電機の中リング構造、２３：同軸三リング電機の外リング構造、３１：同軸二層式ディスク電機の内層ディスク構造、３２：同軸二層式ディスク電機の外層ディスク構造、４１：同軸三層式ディスク電機の内層ディスク構造、４２：同軸三層式ディスク電機の中層ディスク構造、４３：同軸三層式ディスク電機の外層ディスク構造、５１：二層式リニア電機の内層構造、５２：二層式リニア電機の外層構造、６１：三層式リニア電機の内層構造、６２：三層式リニア電機の中層構造、６３：三層式リニア電機の外層構造、１０２：磁路部材、１０３：永久磁石の磁極、１０４：磁極の磁路頸部、１１１：磁気伝達極面体
【図１】
2009124937.tif 000003
【図２】
2009124937.tif 000004
【図３】
2009124937.tif 000005
【図４】
2009124937.tif 000006
【図５】
2009124937.tif 000007
【図６】
2009124937.tif 000008
【図７】
2009124937.tif 000009
【図８】
2009124937.tif 000010
【図９】
2009124937.tif 000011
【図１０】
2009124937.tif 000012
【図１１】
2009124937.tif 000013
【図１２】
2009124937.tif 000014
【図１３】
2009124937.tif 000015
【図１４】
2009124937.tif 000016
【図１５】
2009124937.tif 000017
【図１６】
2009124937.tif 000018
【図１７】
2009124937.tif 000019
【図１８】
2009124937.tif 000020
【図１９】
2009124937.tif 000021
【図２０】
2009124937.tif 000022
【図２１】
2009124937.tif 000023
【図２２】
2009124937.tif 000024
【図２３】
2009124937.tif 000025
【図２４】
2009124937.tif 000026
【図２５】
2009124937.tif 000027
【図２６】
2009124937.tif 000028
【図２７】
2009124937.tif 000029
【図２８】
2009124937.tif 000030
【図２９】
2009124937.tif 000031
【図３０】
2009124937.tif 000032
【図３１】
2009124937.tif 000033
【図３２】
2009124937.tif 000034
【図３３】
2009124937.tif 000035
【図３４】
2009124937.tif 000036
【図３５】
2009124937.tif 000037
【図３６】
2009124937.tif 000038
【図３７】
2009124937.tif 000039
【図３８】
2009124937.tif 000040
【図３９】
2009124937.tif 000041
【図４０】
2009124937.tif 000042
【外国語明細書】
2009124937.tif 000043
2009124937.tif 000044
2009124937.tif 000045
2009124937.tif 000046
2009124937.tif 000047
2009124937.tif 000048
2009124937.tif 000049
2009124937.tif 000050
2009124937.tif 000051
2009124937.tif 000052
2009124937.tif 000053
2009124937.tif 000054
2009124937.tif 000055
2009124937.tif 000056
2009124937.tif 000057
2009124937.tif 000058
2009124937.tif 000059
2009124937.tif 000060
2009124937.tif 000061
2009124937.tif 000062
2009124937.tif 000063
2009124937.tif 000064
2009124937.tif 000065
2009124937.tif 000066
2009124937.tif 000067
2009124937.tif 000068
2009124937.tif 000069
2009124937.tif 000070
2009124937.tif 000071
2009124937.tif 000072
2009124937.tif 000073
2009124937.tif 000074
2009124937.tif 000075
2009124937.tif 000076
2009124937.tif 000077
2009124937.tif 000078
2009124937.tif 000079
2009124937.tif 000080
2009124937.tif 000081
2009124937.tif 000082
2009124937.tif 000083
2009124937.tif 000084
2009124937.tif 000085
2009124937.tif 000086
2009124937.tif 000087
2009124937.tif 000088
2009124937.tif 000089
2009124937.tif 000090
2009124937.tif 000091
2009124937.tif 000092
2009124937.tif 000093
2009124937.tif 000094
2009124937.tif 000095
2009124937.tif 000096
2009124937.tif 000097
2009124937.tif 000098
2009124937.tif 000099
2009124937.tif 000100
2009124937.tif 000101
2009124937.tif 000102
2009124937.tif 000103
2009124937.tif 000104
2009124937.tif 000105
2009124937.tif 000106
2009124937.tif 000107
2009124937.tif 000108
2009124937.tif 000109
2009124937.tif 000110
2009124937.tif 000111
2009124937.tif 000112
2009124937.tif 000113
2009124937.tif 000114
2009124937.tif 000115
2009124937.tif 000116
2009124937.tif 000117
2009124937.tif 000118